(57)【要約】【課題】安全性を担保しつつ配線材を容易に設置することが可能なＭＲＩ装置を提供する。【解決手段】ＭＲＩ装置１００が、傾斜磁場コイル１２と傾斜磁場電源２０との間に架け渡されたダクト８０と、ダクト８０を通り、傾斜磁場電源２０から傾斜磁場コイル１２へ電流を導く電力用配線材９２と、ダクト８０内に冷却空気を送風する送風装置８１とを備え、送風装置８１が、ダクト８０内を通る電力用配線材９２の周辺温度を低下させることで、電力用配線材９２の電流容量を大きくする。これにより、細く設置しやすい配線材を用いることができるようになる。【選択図】図１
2011072390.tif 000002
【特許請求の範囲】
【請求項１】
被検体が置かれた撮像領域に静磁場を発生させる静磁場磁石と、
前記静磁場磁石により発生した静磁場内に傾斜磁場を印加する傾斜磁場コイルと、
前記傾斜磁場コイルに電流を供給する傾斜磁場電源と、
前記傾斜磁場コイルと前記傾斜磁場電源との間に架け渡されたダクトと、
前記ダクトを通り、前記傾斜磁場電源から前記傾斜磁場コイルへ電流を導く配線材と、
前記ダクト内に冷却空気を送風する送風手段と
を備えたことを特徴とする磁気共鳴イメージング装置。
【請求項２】
前記配線材の温度を検出する温度検出手段と、
前記温度検出手段によって検出された温度が所定の閾値を超えた場合に警告を報知する温度上昇警告手段と
をさらに備えたことを特徴とする請求項１に記載の磁気共鳴イメージング装置。
【請求項３】
前記傾斜磁場コイルは、前記静磁場磁石の内側に設けられ、
前記配線材は、前記傾斜磁場コイルと前記傾斜磁場電源との間に設けられたフィルタを介して電流を導き、
前記送風手段は、前記傾斜磁場コイルから離れたフィルタ側に設けられていることを特徴とする請求項１または２に記載の磁気共鳴イメージング装置。
【請求項４】
前記送風手段による送風が停止した場合に警告を報知する送風停止警告手段をさらに備えたことを特徴とする請求項１、２または３に記載の磁気共鳴イメージング装置。
【請求項５】
前記送風手段は、ブラシレスのファンを有することを特徴とする請求項１〜４のいずれか一つに記載の磁気共鳴イメージング装置。
【請求項６】
前記温度検出手段は、電流検出型の温度センサーであることを特徴とする請求項２〜５のいずれか一つに記載の磁気共鳴イメージング装置。
【請求項７】
前記静磁場磁石および前記傾斜磁場コイルは、外部からの電波信号を遮断するシールドルーム内に設置され、
前記温度検出手段は、検出した温度を示すアナログ信号を出力するものであって、
前記温度検出手段から出力された前記アナログ信号をデジタル信号に変換するデジタル変換手段をさらに備え、
前記デジタル変換手段は、前記シールドルーム外に設けられていることを特徴とする請求項２〜６のいずれか一つに記載の磁気共鳴イメージング装置。
【請求項８】
前記温度検出手段によって検出された温度に応じて撮像を制御する撮像制御手段をさらに備えたことを特徴とする請求項２〜７のいずれか一つに記載の磁気共鳴イメージング装置。
【発明の詳細な説明】
【技術分野】
【０００１】
本発明は、磁気共鳴イメージング装置に関する。
【背景技術】
【０００２】
磁気共鳴イメージング装置は、磁気共鳴現象を利用して被検体内を画像化する装置である。かかる磁気共鳴イメージング装置は、被検体が置かれた撮像領域に静磁場を発生させる静磁場磁石、静磁場内に傾斜磁場を印加する傾斜磁場コイル、前記傾斜磁場コイルに電流を供給する傾斜磁場電源などを備える（例えば、特許文献１参照）。
【０００３】
ここで、傾斜磁場コイルと傾斜磁場電源との間には、傾斜磁場電源から傾斜磁場コイルへ電流を導く配線材が設置される。この配線材に流れる電流の大きさは、撮像法の種類に応じて変化する。そのため、従来、傾斜磁場コイルと傾斜磁場電源とをつなぐ配線材には、安全性を担保することを目的として、傾斜磁場電源の最大定格以上の電流容量を有するものが用いられる。
【先行技術文献】
【特許文献】
【０００４】
【特許文献１】特開２００９−３９２４７号公報
【発明の概要】
【発明が解決しようとする課題】
【０００５】
しかしながら、近年では、以下に説明するように、安全性を担保しつつ配線材を設置することが困難になってきている。
【０００６】
具体的には、近年では、新たな撮像法の開発にともなって、傾斜磁場の切り替えの高速化や傾斜磁場の高強度化が要求されるようになっている。その結果、傾斜磁場電源の最大定格も大きくなっており、傾斜磁場電源と傾斜磁場コイルとをつなぐ配線材の電流容量もさらに大きなものが求められている。
【０００７】
一般的に、配線材の電流容量は、配線材の形状および配線材の周囲温度によって決まる。例えば、配線材の電流容量は、配線材が太くなるほど大きくなる。したがって、傾斜磁場電源の最大定格が大きくなった場合には、太い配線材を用いればよい。しかし、太い配線材を用いると、限られた場所での作業性や設置上の曲率などの問題から、配線材の設置が困難になってしまう。
【０００８】
本発明は、上記に鑑みてなされたものであって、安全性を担保しつつ配線材を容易に設置することが可能な磁気共鳴イメージング装置を提供することを目的とする。
【課題を解決するための手段】
【０００９】
上述した課題を解決し、目的を達成するために、請求項１記載の本発明は、磁気共鳴イメージング装置が、被検体が置かれた撮像領域に静磁場を発生させる静磁場磁石と、前記静磁場磁石により発生した静磁場内に傾斜磁場を印加する傾斜磁場コイルと、前記傾斜磁場コイルに電流を供給する傾斜磁場電源と、前記傾斜磁場コイルと前記傾斜磁場電源との間に架け渡されたダクトと、前記ダクトを通り、前記傾斜磁場電源から前記傾斜磁場コイルへ電流を導く配線材と、前記ダクト内に冷却空気を送風する送風手段とを備えたことを特徴とする。
【発明の効果】
【００１０】
請求項１記載の本発明によれば、安全性を担保しつつ配線材を容易に設置することが可能になるという効果を奏する。
【図面の簡単な説明】
【００１１】
【図１】図１は、本実施例に係るＭＲＩ装置の全体構成を示す図である。
【図２】図２は、本実施例に係るＭＲＩ装置１００の配置を示す配置図である。
【図３】図３は、フィルタパネル９０の構成および送風装置の配置を示す図である。
【図４】図４は、ダクト８０内における送風装置８１および配線材の配置を説明するための図である。
【図５】図５は、本実施例に係るＭＲＩ装置による各種制御を説明するための図である。
【図６】図６は、電力用配線材９２の温度に基づいて行われる各種制御の処理手順を示すフローチャートである。
【発明を実施するための形態】
【００１２】
以下に、本発明に係る磁気共鳴イメージング装置の実施例を図面に基づいて詳細に説明する。なお、以下では、磁気共鳴イメージング装置を「ＭＲＩ（Magnetic  Resonance  Imaging）装置」と呼ぶ。また、以下で説明する実施例により本発明が限定されるものではない。
【実施例】
【００１３】
最初に、本実施例に係るＭＲＩ装置の概要について説明する。前述したように、一般的に、配線材の電流容量は、配線材の形状および配線材の周囲温度によって決まる。すなわち、配線材の電流容量は、配線材が太くなるほど大きくなる。その一方で、配線材の周囲温度が低くなった場合にも大きくなる。
【００１４】
そこで、本実施例に係るＭＲＩ装置は、傾斜磁場コイルと傾斜磁場電源とをつなぐ配線材の周囲温度を低下させることで、太い配線材を用いることなく、配線材の電流容量を大きくする。その結果、傾斜磁場コイルと傾斜磁場電源とをつなぐ配線材として、電流容量が傾斜磁場電源の最大定格より小さいものを用いることができるようになり、安全性を担保しつつ配線材を容易に設置することが可能になる。
【００１５】
次に、本実施例に係るＭＲＩ装置の全体構成について説明する。図１は、本実施例に係るＭＲＩ装置の全体構成を示す図である。同図に示すように、このＭＲＩ装置１００は、架台部１０、傾斜磁場電源２０、送信部３０、受信部４０、寝台部５０、寝台制御部６０および計算機システム７０を備える。
【００１６】
架台部１０は、静磁場中に置かれた被検体に高周波磁場を照射し、当該被検体から発せられるＭＲ信号を検出する。この架台部１０は、特に、静磁場磁石１１と、傾斜磁場コイル１２と、送信コイル１３と、受信コイル１４とを有する。静磁場磁石１１は、中空の円筒形状に形成された磁石であり、内部の空間に一様な静磁場を発生させる。この静磁場磁石１１としては、例えば永久磁石、超伝導磁石などが用いられる。
【００１７】
傾斜磁場コイル１２は、中空の円筒形状に形成されており、静磁場磁石１１の内側に配置される。この傾斜磁場コイル１２は、互いに直交するＸ，Ｙ，Ｚの各軸に対応する３つのコイルが組み合わされて形成されている。これら３つのコイルは、傾斜磁場電源２０から個別に電流供給を受けて、Ｘ，Ｙ，Ｚの各軸に沿って磁場強度が変化する傾斜磁場を発生させる。
【００１８】
送信コイル１３は、傾斜磁場コイル１２の内側に配置され、送信部３０から高周波パルスの供給を受けて高周波磁場を発生する。受信コイル１４は、傾斜磁場コイル１２の内側に配置され、送信コイル１３によって発生した高周波磁場の影響によって被検体Ｐから放射されるＭＲ信号を受信する。
【００１９】
傾斜磁場電源２０は、計算機システム７０による制御のもと、傾斜磁場コイル１２に電流を供給する。送信部３０は、計算機システム７０による制御のもと、ラーモア周波数に対応する高周波パルスを送信コイル１３に送信する。受信部４０は、計算機システム７０による制御のもと、受信コイル１４から出力されるＭＲ信号に基づいてＭＲ信号データを生成する。この受信部４０は、ＭＲ信号データを生成すると、そのＭＲ信号データを計算機システム７０に送信する。
【００２０】
寝台部５０は、被検体Ｐが載置される天板５１を備えた装置であり、寝台制御部６０による制御のもと、天板５１を、被検体Ｐが載置された状態で傾斜磁場コイル１２の空洞（撮像口）内へ挿入する。通常、この寝台部５０は、長手方向が静磁場磁石１１の中心軸と平行になるように設置される。寝台制御部６０は、寝台部５０を制御する装置であり、寝台部５０を駆動して、天板５１を長手方向および上下方向へ移動する。
【００２１】
計算機システム７０は、ＭＲＩ装置１００の全体制御や、データ収集、画像再構成などを行う。この計算機システム７０は、インタフェース部７１、データ収集部７２、データ処理部７３、記憶部７４、表示部７５、入力部７６および制御部７７を有している。
【００２２】
インタフェース部７１は、傾斜磁場電源２０、寝台制御部６０、送信部３０および受信部４０に接続されており、これらの接続された各部と計算機システム７０との間で授受される信号の入出力を制御する。データ収集部７２は、インタフェース部７１を介して、受信部４０から送信されるＭＲ信号データを収集する。そして、データ収集部７２は、ＭＲ信号データを収集すると、収集したＭＲ信号データを記憶部７４に記憶させる。
【００２３】
データ処理部７３は、記憶部７４に記憶されているＭＲ信号データに対して、後処理、すなわちフーリエ変換等の再構成処理を施すことによって、被検体Ｐ内における所望核スピンのスペクトラムデータあるいは画像データを生成する。
【００２４】
記憶部７４は、データ収集部７２によって収集されたＭＲ信号データと、データ処理部７３によって生成された画像データなどを、被検体Ｐごとに記憶する。
【００２５】
表示部７５は、データ処理部７３によって生成されたスペクトラムデータあるいは画像データ等の各種の情報を表示する。この表示部７５としては、液晶表示器などの表示デバイスを利用可能である。入力部７６は、操作者から各種操作や情報入力を受け付ける。この入力部７６としては、マウスやトラックボールなどのポインティングデバイス、モード切替スイッチ等の選択デバイス、あるいはキーボード等の入力デバイスを適宜に利用可能である。
【００２６】
制御部７７は、図示していないＣＰＵやメモリ等を有し、上述した各機能部を制御することによってＭＲＩ装置１００を総括的に制御する。具体的には、この制御部７７は、入力部７６を介して操作者から入力される撮像条件に基づいてシーケンス情報を生成する。そして、制御部７７は、生成したシーケンス情報に基づいて、傾斜磁場電源２０、送信部３０および受信部４０を駆動することによって、被検体Ｐのスキャンを行う。
【００２７】
なお、ここでいう「シーケンス情報」とは、傾斜磁場電源２０が傾斜磁場コイル１２に供給する電源の強さや電源を供給するタイミング、送信部３０が送信コイル１３に送信する高周波パルスの強さや高周波パルスを送信するタイミング、受信部４０がＭＲ信号を検出するタイミングなど、スキャンを行うための手順を定義した情報である。
【００２８】
また、制御部７７は、傾斜磁場電源２０、送信部３０および受信部４０を駆動して被検体Ｐをスキャンした結果、受信部４０からＭＲ信号データが送信されると、データ処理部７３を制御して、ＭＲ信号データから画像を生成させる。
【００２９】
以上、本実施例に係るＭＲＩ装置１００の全体構成について説明した。そして、本実施例に係るＭＲＩ装置１００は、上記の構成に加えて、傾斜磁場コイル１２と傾斜磁場電源２０とをつなぐ配線材の周囲温度を低下させるための手段を備えている。具体的には、ＭＲＩ装置１００は、傾斜磁場電源２０と傾斜磁場コイル１２との間に架け渡されたダクトと、そのダクトを通り、傾斜磁場電源２０から傾斜磁場コイル１２へ電流を導く配線材と、ダクト内に冷却空気を送風する送風装置とを備えている。
【００３０】
図２は、本実施例に係るＭＲＩ装置１００の配置を示す配置図である。同図に示すように、ＭＲＩ装置１００は、各部が操作室と撮影室とに分けられて設置されている。ここで、操作室と撮影室とは、１枚の壁を隔てて隣接している。そして、操作室と撮影室とを隔てる壁には、フィルタパネル９０が設けられている。
【００３１】
なお、ここでいう「操作室」とは、被検体を撮像する際に技師などがＭＲＩ装置１００を操作する部屋である。また、「撮影室」とは、外部からのＲＦ（Radio  Frequency）信号を遮断するシールドを用いて形成されたシールドルームである。
【００３２】
具体的には、本実施例では、傾斜磁場電源２０および計算機システム７０が操作室に設置されており、架台部１０および寝台部５０が撮影室に設置されている。なお、図２では図示を省略しているが、送信部３０、受信部４０、寝台制御部６０も操作室に設置されている。
【００３３】
ここで、傾斜磁場電源２０および計算機システム７０と架台部１０との間には、フィルタパネル９０を介して、ダクト８０が架け渡されている。そして、ダクト８０の筒内には、傾斜磁場電源２０から架台部１０の傾斜磁場コイル１２に供給される電流を導く電力用配線材と、架台部１０が有する各部と計算機システム７０との間でやり取りされる信号を伝送する信号用配線材とがそれぞれ設置されている。
【００３４】
また、フィルタパネル９０の操作室側および撮影室側に位置するダクト８０の筒内（図２に示す点線で囲まれた箇所）には、それぞれ、送風装置が設置されている。そして、撮影室側の送風装置は、フィルタパネル９０側から架台部１０に向けて空気を送風する。また、操作室側の送風装置は、フィルタパネル９０側から傾斜磁場電源２０および計算機システム７０に向けて空気を送風する。
【００３５】
次に、フィルタパネル９０の構成および送風装置の配置について説明する。図３は、フィルタパネル９０の構成および送風装置の配置を示す図である。同図は、撮影室側におけるフィルタパネル９０およびダクト８０との接合部を示している。
【００３６】
図３に示すように、フィルタパネル９０には、複数のフィルタ９１が取り付けられている。ここで、フィルタ９１は、コイルやコンデンサなどの回路素子を含んでおり、所定の値より低い周波数の電気信号のみを取り出すローパスフィルタである。そして、各フィルタ９１の両側には、それぞれ、電力用配線材９２の端子が取り付けられている。これにより、傾斜磁場電源２０から傾斜磁場コイル１２に供給される電流の高周波成分がカットされるので、受信コイル１４によって受信されるＭＲ信号に不要なノイズが混入するのを防ぐことができる。
【００３７】
また、信号用配線材９３もフィルタパネル９０を介して接続されている。なお、図３では１本の信号用配線材９３のみを示しているが、実際には、フィルタパネル９０には、複数本の信号用配線材９３が接続されている。
【００３８】
さらに、フィルタパネル９０には、フィルタ９１、電力用配線材９２の端子周辺、および、信号用配線材９３の端子周辺を覆うように、フィルタカバー９４が取り付けられている。このフィルタカバー９４の上部には、フィルタカバー９４内に空気を取り込むための通気口９５が設けられている。
【００３９】
一方、フィルタカバー９４の下部には、電力用配線材９２および信号用配線材９３が筒内を通るようにダクト８０が取り付けられている。そして、フィルタカバー９４の下部において、ダクト８０とフィルタパネル９０との間には、フィルタカバー９４内に空気を取り込むための通気口９６が設けられている。
【００４０】
また、フィルタパネル９０側に位置するダクト８０の筒内には、送風装置８１が設置されている。この送風装置８１は、ファン８２や、図３では図示していないモータなどを備えている。かかる送風装置８１がファン８２を回転させることによって、通気口９５および９６からフィルタカバー９４内に空気が取り込まれ、取り込まれた空気が、ダクト８０を通って、傾斜磁場コイル１２がある架台部１０側へ流れ込む（図３に示す矢印を参照）。このように送風装置８１が送風することによって、ダクト８０内を通る電力用配線材９２の周辺温度が低下する。
【００４１】
なお、送風装置８１としては、ブラシレスのファンを有するものを用いるのが望ましい。それにより、撮影された画像にノイズが混入することを防ぐことができる。
【００４２】
次に、ダクト８０内における送風装置８１および配線材の配置について説明する。図４は、ダクト８０内における送風装置８１および配線材の配置を説明するための図である。同図に示すように、ダクト８０内は、仕切り８３によって２つの経路に分けられており、一方の経路に電力用配線材９２が配置され、もう一方の経路に信号用配線材９３が配置されている。
【００４３】
ここで、電力用配線材９２が配置される経路において、電力用配線材９２の周辺には、例えば気泡シートなどの伝熱性の介材９７が充填されている。これにより、送風装置８１によって送風される冷却空気が対流を起こすことなく一定の方向へ流れるようになり、電力用配線材９２の周辺温度を効率よく低下させることができる。
【００４４】
以上、傾斜磁場コイル１２と傾斜磁場電源２０とをつなぐ電力用配線材９２の周囲温度を低下させるための手段について説明した。本実施例に係るＭＲＩ装置１００は、上記の構成に加えて、さらに、送風装置８１の状態や電力用配線材９２の温度に応じて各種制御を行うための手段を備えている。
【００４５】
図５は、本実施例１に係るＭＲＩ装置による各種制御を説明するための図である。同図は、計算機システム７０の構成および撮影室側のダクト８０を示している。図５に示すように、撮影室側のダクト８０の筒内には、ファン８２を有する送風装置８１が設けられている。この送風装置８１は、ファン８２が停止した場合に、計算機システム７０に対してファン８２が停止したことを通知する機能を有している。
【００４６】
また、ダクト８０内に設置された電力用配線材９２の表面には、温度センサー８４が取り付けられている。この温度センサー８４は、電流検出型のセンサーであり、電力用配線材９２の表面の温度を検出し、検出した温度を示すアナログ信号を出力する。そして、この温度センサー８４から出力されたアナログ信号は、Ａ／Ｄ変換部８５によってデジタル信号に変換されたうえで、計算機システム７０のインタフェース部７１に入力される。
【００４７】
ここで、Ａ／Ｄ変換部８５は、撮影室の外に設置されるのが望ましい。例えば、Ａ／Ｄ変換部８５は、操作室の中に設置される。これにより、Ａ／Ｄ変換部８５によってアナログ信号がデジタル信号に変換される際に生じるデジタルノイズが撮影画像に影響を与えるのを防ぐことができるようになる。
【００４８】
なお、ダクト８０内に冷却空気を流した場合、ダクト８０の屈曲部では、冷却空気の流れが悪くなって温度が上昇する可能性が高い。そのため、温度センサー８４は、ダクト８０の屈曲部において、電力用配線材９２の表面に取り付けられるのが望ましい。これにより、最も高温となる可能性が高い箇所の温度を検出することが可能になり、撮影時の安全性を確実に担保することができる。
【００４９】
また、計算機システム７０の制御部７７は、特に、送風停止警告部７７ａと、温度上昇警告部７７ｂと、撮影制御部７７ｃとを有している。
【００５０】
送風停止警告部７７ａは、送風装置８１による送風が停止した場合に警告を報知する。具体的には、送風停止警告部７７ａは、送風装置８１からファン８２が停止したことが通知されると、ファン８２が停止したことを示す警告メッセージを表示部７５に出力する。または、送風停止警告部７７ａが、スピーカーなどにより警告音を発するようにしてもよい。
【００５１】
温度上昇警告部７７ｂは、温度センサー８４によって検出された温度が所定の閾値を超えた場合に警告を報知する。具体的には、温度上昇警告部７７ｂは、撮像が開始した後に、Ａ／Ｄ変換部８５を介して入力されるデジタル信号に基づいて、温度センサー８４によって検出された温度を検知する。そして、温度上昇警告部７７ｂは、検知した温度が所定の閾値を超えた場合に、配線材の温度が上昇していることを示す警告メッセージを表示部７５に出力する。または、温度上昇警告部７７ｂが、スピーカーなどにより警告音を発するようにしてもよい。
【００５２】
撮影制御部７７ｃは、温度センサー８４によって検出された温度に応じて撮像を制御する。具体的には、撮影制御部７７ｃは、撮像が開始した後に、Ａ／Ｄ変換部８５を介して入力されるデジタル信号に基づいて、温度センサー８４によって検出された温度を検知する。
【００５３】
そして、撮影制御部７７ｃは、検知した温度が第１の閾値を超えた場合に、撮像プロトコルの順序を変更する。なお、ここでいう撮像プロトコルとは、一つのパルスシーケンスからなる撮影の単位である。
【００５４】
例えば、撮影制御部７７ｃは、検知した温度が第１の閾値を超えた場合に、実施中の撮像プロトコルの後に続く撮像プロトコルの中から、使用される電流量が最も小さいものを選択する。そして、撮影制御部７７ｃは、選択した撮像プロトコルが実施中の撮像プロトコルの次に実施されるように、撮像プロトコルの順序を入れ替える。
【００５５】
さらに、撮影制御部７７ｃは、検知した温度が第１の閾値より高い第２の閾値を超えた場合には、撮像を中止する。
【００５６】
このように、撮影制御部７７ｃが、温度センサー８４によって検出された温度に応じて撮像プロトコルの順序を変更することによって、撮像を安全に続けることが可能になる。
【００５７】
また、撮影制御部７７ｃが、温度センサー８４によって検出された温度に応じて撮像を中止することによって、電力用配線材９２の温度が異常温度に達した場合に自動的に撮像が中止されるので、より安全に撮像を行うことができる。
【００５８】
なお、ここでは、撮影制御部７７ｃが撮像プロトコルの順序を入れ替える場合について説明したが、例えば、撮像プロトコルの間隔を変更するようにしてもよい。その場合には、撮影制御部７７ｃは、温度センサー８４によって検出された温度が所定の温度より低くなってから次の撮像プロトコルが開始されるように、実施中の撮像プロトコルが終わってから次の撮像プロトコルが開始されるまでの時間を延長する。
【００５９】
なお、ここでは、撮影制御部７７ｃが撮像プロトコルの順番や間隔を自動的に変更する場合について説明したが、例えば、自動的に変更するのではなく、操作者に対して撮像条件の変更を促すためのメッセージを表示部７５に出力するようにしてもよい。
【００６０】
次に、電力用配線材９２の温度に基づいて行われる各種制御の処理手順について説明する。図６は、電力用配線材９２の温度に基づいて行われる各種制御の処理手順を示すフローチャートである。
【００６１】
なお、ここでは、温度上昇警告部７７ｂが温度上昇を警告するか否かを判定する際の閾値をＳｗとし、撮影制御部７７ｃがプロトコルの順序を変更するか否かを判定する際の閾値をＳｃとし、撮影制御部７７ｃが撮像を中止するか否かを判定する際の閾値をＳａとする。そして、各閾値の間には、Ｓｗ＜Ｓｃ＜Ｓａの関係が成り立っていることとする。
【００６２】
図６に示すように、ＭＲＩ装置１００では、操作者によって撮像が開始された場合に（ステップＳ０１，Ｙｅｓ）、温度センサー８４が、電力用配線材９２の温度を検出する（ステップＳ０２）。
【００６３】
続いて、撮影制御部７７ｃが、温度センサー８４によって検出された温度が閾値Ｓａを超えているか否かを判定する。そして、検出された温度が閾値Ｓａを超えていると判定した場合には（ステップＳ０３，Ｙｅｓ）、撮影制御部７７ｃは、撮像を中止する（ステップＳ０４）。
【００６４】
一方、検出された温度が閾値Ｓａを超えていなかった場合には（ステップＳ０３，Ｎｏ）、撮影制御部７７ｃは、検出された温度が閾値Ｓｃを超えているか否かを判定する。そして、検出された温度が閾値Ｓｃを超えていると判定した場合には（ステップＳ０５，Ｙｅｓ）、撮影制御部７７ｃは、プロトコルの順序を変更する（ステップＳ０６）。
【００６５】
また、温度上昇警告部７７ｂが、温度センサー８４によって検出された温度が閾値Ｓｗを超えているか否かを判定する。そして、検出された温度が閾値Ｓｗを超えていると判定した場合には（ステップＳ０７，Ｙｅｓ）、温度上昇警告部７７ｂは、表示部７５に警告メッセージを出力する（ステップＳ０８）。
【００６６】
そして、操作者によって撮像が終了されるまでの間は（ステップＳ０９，Ｎｏ）、温度上昇警告部７７ｂおよび撮影制御部７７ｃは、ステップＳ０２〜Ｓ０８までの処理を繰り返し実行する。そして、操作者によって撮像が終了された場合には（ステップＳ０９，Ｙｅｓ）、温度上昇警告部７７ｂおよび撮影制御部７７ｃは、一連の制御を終了する。
【００６７】
上述してきたように、本実施例に係るＭＲＩ装置１００は、被検体が置かれた撮像領域に静磁場を発生させる静磁場磁石１１と、静磁場磁石１１により発生した静磁場内に傾斜磁場を印加する傾斜磁場コイル１２と、傾斜磁場コイル１２に電流を供給する傾斜磁場電源２０とを備える。また、ＭＲＩ装置１００は、さらに、傾斜磁場コイル１２と傾斜磁場電源２０との間に架け渡されたダクト８０と、ダクト８０を通り、前記傾斜磁場電源２０から前記傾斜磁場コイル１２へ電流を導く電力用配線材９２と、ダクト８０内に冷却空気を送風する送風装置８１とを備える。
【００６８】
すなわち、本実施例によれば、ダクト８０内を通る電力用配線材９２の周辺温度が送風装置８１によって低下するので、電力用配線材９２の電流容量を大きくすることができる。したがって、電流容量が傾斜磁場電源２０の最大定格より小さい配線材を電力用配線材９２として用いることができるので、安全性を担保しつつ配線材を容易に設置することが可能になる。また、細く設置しやすい配線材を用いることができるので、配線材にかかるコストを抑えることができる。
【符号の説明】
【００６９】
１００    ＭＲＩ装置（磁気共鳴イメージング装置）
１０    架台部
１１    静磁場磁石
１２    傾斜磁場コイル
１３    送信コイル
１４    受信コイル
２０    傾斜磁場電源
３０    送信部
４０    受信部
５０    寝台部
５１    天板
６０    寝台制御部
７０    計算機システム
７１    インタフェース部
７２    データ収集部
７３    データ処理部
７４    記憶部
７５    表示部
７６    入力部
７７    制御部
７７ａ    送風停止警告部
７７ｂ    温度上昇警告部
７７ｃ    撮影制御部
８０    ダクト
８１    送風装置
８２    ファン
８３    仕切り
８４    温度センサー
８５    Ａ／Ｄ変換部
９０    フィルタパネル
９１    フィルタ
９２    電力用配線材
９３    信号用配線材
９４    フィルタカバー
９５，９６    通気口
９７    介材
【図１】
2011072390.tif 000003
【図２】
2011072390.tif 000004
【図３】
2011072390.tif 000005
【図４】
2011072390.tif 000006
【図５】
2011072390.tif 000007
【図６】
2011072390.tif 000008